(57)【要約】【課題】現像スリーブ両端部からの現像剤漏れを防止するシール部材が、放電生成物（ＮＯｘ）を吸着除去して長期に亘り現像剤漏れを防止することができる現像装置、及びそれを備えた画像形成装置、並びに画像形成方法を提供する。【解決手段】現像剤漏れ防止シール１６１，１６２は、中心部に貫通孔を設けたキャップ形状をしている。現像スリーブ１５６の両端部に、現像スリーブ１５６の両端部に突出した現像スリーブ軸１５７，１５８を現像剤漏れ防止シール１６１，１６２の貫通孔に挿入して、現像スリーブ１５６の両端部に現像剤漏れ防止シール１６１，１６２を取り付ける。現像剤漏れ防止シール１６１，１６２の外周面、及び内面には、ゼオライト層を設けている。【選択図】図４
2011242530.tif 000002
【特許請求の範囲】
【請求項１】
現像剤を磁力によって表面に担持する現像スリーブを備え、感光体ドラムに現像剤を供給する現像装置であって、
前記現像スリーブは、その軸方向両端部に現像剤漏れ防止シールを備え、前記現像剤漏れ防止シールの表面にゼオライト層を設けたことを特徴とする現像装置。
【請求項２】
前記ゼオライト層は、４０μｍ以上１００μｍ以下であることを特徴とする請求項１に記載の現像装置。
【請求項３】
前記現像スリーブ表面は、溝加工、サンドブラスト加工、溶射加工が施されていることを特徴とする請求項１又は２に記載の現像装置。
【請求項４】
前記現像剤漏れ防止シールは、ウレタンゴム、ＮＢＲゴム、ポリエチレンのいずれかの材質であることを特徴とする請求項１から３のいずれか一項に記載の現像装置。
【請求項５】
請求項１から４のいずれか一項に記載の現像装置を備えたことを特徴とする画像形成装置。
【請求項６】
請求項５に記載の画像形成装置を用いて画像形成を行うことを特徴とする画像形成方法。
【発明の詳細な説明】
【技術分野】
【０００１】
本発明は、電子写真方式の画像形成に用いられる現像装置、及びそれを備えた画像形成装置、並びに画像形成方法に関し、特に感光体を帯電させる際に発生する窒素酸化物の影響を抑えて現像剤漏れを防止する現像装置、及びそれを備えた画像形成装置、並びに画像形成方法に関する。
【背景技術】
【０００２】
従来、電子写真方式を用いた画像形成装置においては、帯電ローラにより感光体を帯電させる帯電装置が用いられている。この帯電装置では、窒素酸化物（ＮＯｘ）などの放電生成物が生成される。具体的には、帯電装置から放出される電子の放電に伴うエネルギーによって、大気中に存在する窒素分子（Ｎ２）が窒素原子（Ｎ）に解離し、それが酸素分子（Ｏ２）と結合することで窒素酸化物（二酸化窒素：ＮＯ２）が生成される。さらに、この窒素酸化物が帯電ローラの雰囲気中のＨ２Ｏ（水分）と反応して硝酸ＨＮＯ３を生成する。
【０００３】
より具体的には、窒素酸化物ＮＯｘが一酸化窒素ＮＯの場合には、
２ＮＯ＋Ｏ２→２ＮＯ２、
また、二酸化窒素ＮＯ２の場合は、
３ＮＯ２＋Ｈ２Ｏ→２ＨＮＯ３＋ＮＯ、（但し、ＮＯは再び最初の反応に戻る）
といった反応が起こる。
【０００４】
そして、この硝酸ＨＮＯ３が様々の部品に影響を与える。例えば、感光体に付着した場合は、異常画像の原因となる。特に、感光体として有機感光体（ＯＰＣ）が用いられた場合、上記のような放電生成物によって、白抜けや潜像流れなどの画像欠陥が生じやすい。
【０００５】
このような放電生成物としての硝酸ＨＮＯ３による印刷品位の低下を防止するために、ゼオライトを用いて硝酸ＨＮＯ３を吸着させる方法が提案されている。
例えば、特許文献１には、現像ローラの弾性層の低硬度化を防止する為、弾性層を形成する弾性体中に、ゼオライトを分散することが記載されている。
また、特許文献２には、画像流れ、筋状欠陥等の放電生成物由来の画像欠陥を防止する為、キャリアの表面にカップリング処理されたゼオライト粒子を乾式付着させ、感光体表面に生成した放電生成物を吸着除去することが記載されている。
【０００６】
ところで、感光体にトナーを供給して静電潜像を形成するための現像装置において、乾式磁気ブラシ現像法が主流になって久しいが、未だに現像スリーブ両端部からの現像剤漏れは解消しきれていないのが現状である。そのため、これを改善する方法として、以下のことが開示されている。
【０００７】
特許文献３には、現像スリーブ両端部に弾性層（ウレタンゴム、クロロプレンゴム）と、磁性層（ステンレス）とを重ね合わせ、現像装置ハウジングと現像スリーブとの間隙に設けて現像剤の漏れを防止する技術が記載されている。
また、特許文献４には、現像ロール両端部にキャップ状の現像剤（トナー）付着防止部材を設け、付着防止部材はトナーの帯電極性と同一であって、キャリアから遊離したトナーを現像ロールへ引き戻すように構成され、延いては現像剤漏れを防止する技術が記載されている。
【先行技術文献】
【特許文献】
【０００８】
【特許文献１】特開２００３−９８８１８号公報
【特許文献２】特開２００８−３０４８３８号公報
【特許文献３】特開平８−１３７２５８号公報
【特許文献４】特開２０００−１１２２３６号公報
【発明の概要】
【発明が解決しようとする課題】
【０００９】
上記特許文献３，４のいずれの技術においても、弾性層や付着防止部材によってある程度現像剤漏れを抑制できるものの、弾性層や付着防止部材が、帯電装置による放電生成物（特に硝酸）による劣化を想定した技術ではない。従って、放電生成物による弾性層や現像剤付着防止部材の劣化によって、十分に現像剤漏れを防止することは難しい。
【００１０】
また、特許文献１，２は、いずれも現像スリーブ両端部の現像剤漏れを防止することは想定されていない。
【００１１】
本発明は、斯かる実情に鑑み、現像スリーブ両端部からの現像剤漏れを防止するシール部材が、放電生成物（ＮＯｘ）を吸着除去して長期に亘り現像剤漏れを防止することができる現像装置、及びそれを備えた画像形成装置、並びに画像形成方法を提供することを目的とする。
【課題を解決するための手段】
【００１２】
本発明は、現像剤を磁力によって表面に担持する現像スリーブを備え、感光体ドラムに現像剤を供給する現像装置であって、前記現像スリーブは、その軸方向両端部に現像剤漏れ防止シールを備え、前記現像剤漏れ防止シールの表面にゼオライト層を設けたことを特徴とするものである。
【００１３】
また、本発明は、前記ゼオライト層は、４０μｍ以上１００μｍ以下であることを特徴とする。
【００１４】
また、本発明は、前記現像スリーブ表面が、溝加工、サンドブラスト加工、溶射加工を施されていることを特徴とする。
【００１５】
また、本発明は、前記現像剤漏れ防止シールが、ウレタンゴム、ＮＢＲゴム、ポリエチレンのいずれかの材質であることを特徴とする。
【００１６】
また、本発明は、前記現像装置を備えたことを特徴とする画像形成装置である。
また、本発明は、前記画像形成装置を用いて画像形成を行うことを特徴とする画像形成方法である。
【発明の効果】
【００１７】
本発明によれば、ゼオライト層を現像剤漏れ防止シールに形成することによりゼオライト層が放電生成物を吸収し、現像剤漏れ防止シールの硝酸による変形、たわみ、軟化、等を抑制して、現像剤漏れ防止シールを長期に亘って保護し、延いては現像スリーブ両端からの現像剤の漏れを防止する。
【００１８】
また、現像剤漏れ防止シールに形成したゼオライト層が、４０μｍ未満であると、ＮＯｘの吸着効果はある程度あるものの、現像剤漏れ防止シールと現像スリーブとの摺擦によってゼオライト層が研磨され、長期に渡ってＮＯｘ吸着効果が得られない。１００μｍ超であると、長期に渡ってＮＯｘ吸着効果は持続するものの、コストアップとなり、近年の小型化、低コストの画像形成装置には不向きである。従って、現像剤漏れ防止シールに形成したゼオライト層は、４０μｍ以上１００μｍ以下であることが好ましい。
【００１９】
また、前記現像スリーブ表面は、溝加工、サンドブラスト加工、溶射加工が施されていると、現像スリーブ表面に担持する現像剤のスリップを防止し、感光体の静電潜像を忠実に再現可視化できる。
【００２０】
また、前記現像剤漏れ防止シールが、ウレタンゴム、ＮＢＲゴム、ポリエチレンのいずれかの材質であると、加工が容易で安価であり、現像スリーブとの摺擦においても耐久性に富む材料である。
【図面の簡単な説明】
【００２１】
【図１】本発明の帯電装置が使用される画像形成装置の構成例を示す図である。
【図２】画像形成装置の現像装置を含むプロセスカートリッジの詳細断面図である。
【図３】プロセスカートリッジの現像装置の斜視図である。
【図４】現像剤漏れ防止シールを取り付けた現像スリーブの概略図である。
【図５】現像スリーブの一端部と、その部分の現像剤漏れ防止シールの概略図である。
【図６】硝酸により変形、たわみ、軟化した現像剤漏れ防止シールの概略図である。
【図７】形成画像の両端部の現像剤落ちの例を示す図である。
【発明を実施するための形態】
【００２２】
以下、本発明を実施するための最良の形態について図面を参照して説明する。
【００２３】
図１は、本発明の帯電装置が使用される画像形成装置の構成例を示す図である。
【００２４】
画像形成装置１００は、外部から伝達された画像データに応じて、所定のシート（記録用紙）に対して多色及び単色の画像を形成するもので、装置本体１１０と、自動原稿処理装置１２０とにより構成されている。装置本体１１０は、露光ユニット１、現像装置２、感光体ドラム３、クリーナユニット４、帯電器５、中間転写ベルトユニット６、定着ユニット７、給紙カセット８１、排紙トレイ９１等を有して構成されている。
【００２５】
装置本体１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことができるようになっている。
【００２６】
本画像形成装置において扱われる画像データは、ブラック（Ｋ）、シアン（Ｃ）、マゼンタ（Ｍ）、イエロー（Ｙ）の各色を用いたカラー画像に応じたものである。従って、現像装置２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２７】
帯電器５は、感光体ドラム３の表面を所定の電位に均一に帯電させるための帯電手段であり、図１に示すような楔型電極型、ワイヤー型、帯電ローラ型やブラシ型等の帯電器が用いられることもある。
【００２８】
露光ユニット１は、本発明に関わる画像書込み装置に該当するものであり、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。露光ユニット１は、帯電された感光体ドラム３を入力された画像データに応じて露光することにより、その表面に、画像データに応じた静電潜像を形成する機能を有する。現像装置２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２９】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００３０】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００３１】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３２】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３３】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３４】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３５】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３６】
給紙カセット８１は、画像形成に使用するシート（記録用紙）を蓄積しておくためのトレイであり、装置本体１１０の露光ユニット１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３７】
また装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ、レジストローラ１３、転写ローラ１０、定着ユニット７等が配されている。
【００３８】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３９】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００４０】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から定着するための外部定着ベルト７３が設けられている。
【００４１】
次にシート搬送経路を詳細に説明する。上述のように、画像形成装置には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ搬送路Ｓに導くようになっている。
【００４２】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２ｂを経て排紙トレイ９１上に排出される。
【００４３】
上記の搬送経路は、シートに対する片面印字要求のときのものであるが、これに対して両面印字要求の時は、上記のように片面印字が終了し定着ユニット７を通過したシートの後端が最終の搬送ローラ１２ｂで把持されたときに、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
【００４４】
図２は、本実施例の現像装置を含むプロセスカートリッジの詳細断面図である。図３は、本実施例の現像装置の斜視図である。
【００４５】
図２に示すように、現像装置２、感光体ドラム３、クリーナユニット４、及び帯電器５は一体構成とされて、プロセスカートリッジ１５０が形成される。プロセスカートリッジ１５０は画像形成装置１００に着脱自在に設けられている。
【００４６】
現像装置２は、現像ローラ１５１の他に、ドクターブレード（層厚規制ブレード）１５２、２個の撹拌ローラ１５３，１５４を有している。
【００４７】
撹拌ローラ１５３，１５４は、現像槽内に配置されている。現像槽内に収容された現像剤中のトナーは、撹拌ローラ１５３，１５４の撹拌動作によってキャリアと共に撹拌されることで、摩擦帯電される。
【００４８】
現像ローラ１５１は、感光体ドラム３との間に現像ギャップ（０．５〜１．５ｍｍ程度）を設けて配置され、例えば、複数の周方向位置に断面形状が長方形の棒磁石からなるＮ極の磁性を有する複数の磁極部材およびＳ極の磁性を有する複数の磁極部材が離隔して放射状に配設された多極着磁のマグネットローラ１５５と、このマグネットローラ１５５に回転自在に外嵌された略円筒形状の現像スリーブ１５６とを備えている。
【００４９】
現像スリーブ１５６は、素材として、ＳＵＳ３０４（Ｃｒ１８．０〜２０．０重量％，Ｎｉ８．０〜１０．５重量％）からなる中空管（外径３０ｍｍ，肉厚１ｍｍ，長さ３３０ｍｍ）であり、この中空管の表面に、＃１５０のアランダム粒子を使用してサンドブラスト処理を施して６μｍ（Ｒｚ）の表面粗さとした後に、ＳＵＳ４１０をアーク溶射し、平均厚さ３０〜１００μｍの溶射被覆層を形成する。溶射加工された現像スリーブはキャリアによる摺擦磨耗性に優れ、特に高速現像スリーブ用として好適に用いられる。ここで、現像スリーブ部１５６表面には、現像剤のスリーブ周方向への搬送性をアップさせるために、現像ローラ軸方向に沿った溝加工が施されているのが好ましい。
【００５０】
このように構成された複数の磁極部材による磁界によって、現像スリーブ１５６の外周に沿ってトナーとキャリアとからなる２成分現像剤を吸着して磁気ブラシが形成される。感光体ドラム３と現像ローラ１５１の回転により形成された磁気ブラシによって、上述した現像ギャップ部で感光体ドラム３の表面を摺擦して現像が行なわれる。こうして、現像スリーブ表面に担持する現像剤のスリップを防止し、感光体の静電潜像を忠実に再現可視化できる。
【００５１】
現像槽は、感光体ドラム３と対向する部分に、開口部を有している。現像ローラ１５１は、現像槽の開口部から一部を露出させた状態であって、感光体ドラム３の周面との間所定間隔の現像ギャップが設けられるように、現像槽内に配置されている。現像ギャップは、例えば０．３ｍｍ〜１．０ｍｍ程度の範囲内の任意の間隔に設定されるが、一般的になるべく小さい方が好ましく、０．３ｍｍ〜０．５ｍｍに設定されることが好ましい。
【００５２】
ドクターブレード（層厚規制ブレード）１５２は、現像槽のうち現像剤の搬送方向９２における開口部の上流側の所定位置に、先端部が現像スリーブ１５６の周面に対向するように取り付けられている。ドクターブレード１５２は、現像スリーブ１５６の周面に付着した現像剤の層厚を規制する。
【００５３】
図３に示すように、現像スリーブ１５６の両端部には、現像剤漏れ防止シール１６１，１６２を設けて、現像スリーブ１５６の両端部からのトナー漏れを防止している。
【００５４】
図４は、現像剤漏れ防止シールを取り付けた現像スリーブの概略図であり、図５は、現像スリーブの一端部と、その部分の現像剤漏れ防止シールの概略図である。
【００５５】
現像剤漏れ防止シール１６１，１６２は、中心部に貫通孔を設けたキャップ形状をしている。現像スリーブ１５６の両端部に、現像スリーブ１５６の両端部に突出した現像スリーブ軸１５７，１５８を現像剤漏れ防止シール１６１，１６２の貫通孔に挿入して、現像スリーブ１５６の両端部に現像剤漏れ防止シール１６１，１６２を取り付ける。
【００５６】
現像剤漏れ防止シール１６１，１６２は、ウレタンゴム、ＮＢＲゴム、ポリエチレンのいずれかの材質で形成することが望ましい。これらは、加工が容易で安価であり、現像スリーブとの摺擦においても耐久性に富む材料である。
【００５７】
現像剤漏れ防止シール１６１，１６２の外周面、及び内面には、ゼオライト層を設けている（ゼオライト外周面１６３、ゼオライト内周面１６４）。尚、ゼオライト層は外周面だけであってもＮＯｘ吸着効果は大きい。
【００５８】
ゼオライトの形成は、例えば次のように行う。
（１）アルミナを所望材料（基材）上にスパッタリングで成膜する。
（２）ゼオライト種結晶分散液（スラリー）をアルミナなどの多孔性材料の上にコーティングし、水熱合成などで成長させる。
【００５９】
ゼオライト粉末（例えばZSM-5）を水等の分散媒に分散して得られた種結晶スラリーを、ゼオライト膜を成膜しようとする多孔質基材の表面に塗布する。塗布の方法は特に限定するものではないが、例えば、種結晶スラリー中に多孔質基材を浸漬するディップコート法などが好適である。
ゼオライトの水熱合成は、具体的には、種結晶を付着させた多孔質基材を、少なくとも、構造規定剤、水、及び珪素源を含有するゼオライト合成用原料溶液中に浸漬した状態で加熱処理することにより行う。
【００６０】
現像剤漏れ防止シール１６１，１６２の内径はφ３１ｍｍであり、肉厚は０．１ｍｍ〜１ｍｍ程度のものが用いられる。現像スリーブ１５６の外径はφ３０ｍｍであり、現像剤漏れ防止シール１６１，１６２とのクリアランスは０．５ｍｍとしている。
【００６１】
現像剤が現像スリーブ両端部に移動する理由は、現像スリーブ１５６に磁気拘束された現像剤が感光体ドラム３を摺擦すべく現像スリーブ１５６と伴に回転する。現像剤（特に磁性キャリア）に働く力は、磁気拘束力と、現像バイアスと、回転に伴う遠心力と、感光体ドラム３との鏡像電荷とが主たる力関係になる。特に高速回転する現像スリーブ１５６の場合には、遠心力と鏡像電荷とで現像剤の磁気ブラシチェーンを伸ばす方向に作用し、且つ現像スリーブ１５６と感光体ドラム３とのギャップは変わらない為、現像スリーブ１５６の両端部の伸びた磁気ブラシチェーンの行き場が抑制され、現像スリーブ１５６の両端部に磁気ブラシチェーンが逃げることになる。その結果、現像スリーブ１５６の両端部に現像剤が移動し、延いては現像スリーブ端面に磁気ブラシチェーンが発生することになる。この磁気ブラシチェーンが現像スリーブの回転に伴い、現像装置外へ飛散して現像剤漏れや現像剤落ちとなる。上記の現象を防止する為、現像スリーブ１５６の長短部に現像剤漏れ防止シールが必要になる。
【００６２】
しかし、現像剤漏れ防止シールには、帯電装置から発生する放電生成物（ＮＯｘ）と雰囲気中の水分との反応により生成する硝酸ＨＮＯ３が付着する場合がある。硝酸ＨＮＯ３が現像剤漏れ防止シールに付着すると、変形やたわみ、弾性が弱まる（軟化）こと等が発生し、現像剤の飛散を防止できなくなる。
【００６３】
図６に、硝酸により変形、たわみ、軟化した現像剤漏れ防止シールの概略図を示す。
硝酸ＨＮＯ３による影響を受けた現像剤漏れ防止シール１７１では、現像スリーブ１５６との間で、現像剤漏れ防止ができるクリアランスが充分に維持できず、現像剤漏れや画像両端部に現像剤落ちが発生してしまう。上述したように、ゼオライト層を現像剤漏れ防止シールに形成することによりゼオライト層が放電生成物を吸収し、現像剤漏れ防止シールの硝酸による変形、たわみ、軟化、等を抑制して、現像剤漏れ防止シールを長期に亘って保護し、延いては現像スリーブ両端からの現像剤の漏れを防止することができる。
【００６４】
＜現像剤漏れの実験＞
画像形成装置として、シャープ製  ＭＸ−２３０１ＦＮを用いて実験した。
ネコサ８．５インチ紙を横通紙として、３５℃８５％環境下で１０万枚連続通紙後の画像を目視判定して評価を行なった。判定は、現像剤漏れ防止シールに形成したゼオライト層の膜厚ごとに、現像スリーブの両端部の現像剤漏れと、形成画像の両端部の現像剤落ちを目視にて行なった。
【００６５】
なお、図７に形成画像の両端部の現像剤落ちの例を示す。画像形成を行なった紙の通紙方向に垂直な幅方向の両端部を見て、漏れ落ちた現像剤をカウントする。
【００６６】
以下の表において、判定結果を示す。また、表における目視判定の評価は次のように記載した。
◎：現像剤漏れなし（画像上にも現像剤落ちなし）
○：現像剤漏れわずかに有り（画像両端部に現像剤落ちわずかに有り  現像剤１〜２個／枚）
△：現像剤漏れあり（画像両端部に現像剤落ち有り  現像剤３〜５個／枚）
×：現像剤漏れ大（画像両端部に現像剤落ち大  現像剤６〜８個／枚）
【００６７】
【表１】
2011242530.tif 000003
【００６８】
＜実験結果＞
ゼオライト層が現像剤漏れ防止シールに形成されていると、帯電装置から発生する放電生成物がゼオライト層に吸収され、放電生成物（硝酸）による変形、たわみ、軟化などが生じ無いため、漏れは抑えられるはずである。
【００６９】
ゼオライト膜厚が５０〜１００μｍでは、現像スリーブの両端部の現像剤漏れ、及び形成画像の両端部の現像剤落ち、のいずれも全く漏れがなかった。ゼオライト膜厚が４０μｍの場合、現像スリーブの両端部の現像剤漏れ、形成画像の両端部の現像剤落ち、いずれもわずかに漏れがあったが、許容範囲であった。
【００７０】
比較例１のゼオライト膜厚が３０μｍでは、現像剤漏れがあり、使用に耐えるレベルではないと判断した。当然ながら、比較例３のゼオライト膜厚が０μｍでは、現像漏れは大であり、全く使用できるレベルにはない。
一方、比較例２のゼオライト膜厚が１５０μｍでは、現像剤漏れにおいては、全く問題ないが、コストアップとなり、近年の小型化、低コストの画像形成装置には不向きである。
【００７１】
上記実験結果により、現像剤漏れ防止シールにゼオライト層を形成する場合、４０μｍ未満であると、ＮＯｘの吸着効果はある程度あるものの、現像剤漏れ防止シールと現像スリーブとの摺擦によってゼオライト層が研磨され、長期に渡ってＮＯｘ吸着効果が得られない。また、１００μｍ超であると、長期に渡ってＮＯｘ吸着効果は持続するものの、コストアップとなり、近年の小型化、低コストの画像形成装置には不向きである。従って、現像剤漏れ防止シールに形成したゼオライト層は、４０μｍ以上１００μｍ以下であることが好ましい。
【符号の説明】
【００７２】
２  現像装置
３  感光体ドラム
４  クリーナユニット
５  帯電器
１００  画像形成装置
１５０  プロセスカートリッジ
１５１  現像ローラ
１５２  ドクターブレード
１５３，１５４  撹拌ローラ
１５５  マグネットローラ
１５６  現像スリーブ
１５７，１５８  現像スリーブ軸
１６１，１６２  防止シール
１６３  ゼオライト外周面
１６４  ゼオライト内周面
【図１】
2011242530.tif 000004
【図２】
2011242530.tif 000005
【図３】
2011242530.tif 000006
【図４】
2011242530.tif 000007
【図５】
2011242530.tif 000008
【図６】
2011242530.tif 000009
【図７】
2011242530.tif 000010